Podtech/llm-jp-corpus-v4-ja_patent huggingface dataset:
(57)【要約】      （修正有） 【課題】運転者が『でき心』を持つ人間である以上、運転者本人が自から遵守しようとする意志表示したものを車に常時装備し、運転する度に注意喚起して運転者本人の自覚を促すものでなければ撲滅策にはならない。【解決手段】交通遵守マナ−についての禁止行為を併記したステッカ−に、運転者直筆の誓約署名により交通マナ−の遵守の意志表示をして、運転席から常に見える範囲に貼り、運転する度に注意喚起して運転者本人の自覚を促すことにより、交通違反を未然に抑制する。【選択図】図１
0003128018.tif 000002
【実用新案登録請求の範囲】
【請求項１】
上下２つに区分する構図で、上部には交通遵守マナ−についての禁止行為を表示し、下部には運転者自筆による誓約署名ができるスペ−スを設けるハ−フラミネ−ト加工のステッカ−。   
【考案の詳細な説明】
【技術分野】
【０００１】
本考案は、交通遵守マナ−についての禁止行為を併記した運転者直筆の誓約署名ができるステッカ−を、運転席から常に見える範囲に貼り、運転する度に違反行為を未然に抑制する交通違反撲滅用品である。
【背景技術】
【０００２】
従来は、交通違反撲滅策として、道路交通法の量刑強化、処罰対象の拡大、取締りの強化、職務規程の罰則強化等により施行されててきた。
【考案の開示】
【考案が解決しようとする課題】
【０００３】
従来の方策ではその効果に限界があり、一時的には違反は減少するが、しばらくして違反は逆に増加する傾向にあり、言わば、いたちごっこの状態で撲滅策とはなってはいない。
【０００４】
運転者が『でき心』を持つ人間である以上、運転者本人が自から交通遵守マナ−についての禁止行為を遵守しようとする意志表示したものを車に常時装備し、運転する度に、注意喚起し、運転者本人の自覚を促すものでなければ撲滅策にはならない。
【課題を解決するための手段】
【０００５】
交通遵守マナ−についての禁止行為を併記したステッカ−に、運転者直筆の誓約署名による遵守の意志表示して、運転席から常に見える範囲に貼り、運転する度に、運転者の注意喚起を促すことにより、交通違反を未然に抑制する。
【考案の効果】
【０００６】
本製品は、運転者が直筆で署名して違反しないと誓う意志表示するステッカ−であり、
運転者が見える範囲に車に貼って使用するため、運転者が運転する度に交通マナ−を注意喚起し、『でき心』を抑制でき、違反がなくならない根本原因が解消されるので、従来の方策に比べて機能性および持続性の観点から、交通違反撲滅に寄与する効果はかなり大きいと言える。
【考案を実施するための最良の形態】
【０００７】
図１に示されるように形状は楕円形とし、上下２つに区分する構図とする。
【０００８】
上部には交通遵守マナ−についての禁止行為を表示印刷し、下部にはハ−フラミネ−ト構造による運転者直筆による誓約署名ができるスペ−スを設ける。
【０００９】
耐久性を持たすため、ステッカ−の表面にラミネ−ト加工を施す。    
【実施例】
【００１０】
以下、添付図面に従って一実施例を説明する。ステッカ−上部には交通遵守マナ−についての禁止行為を印刷表示し、ステッカ−下部には運転者直筆の誓約署名ができるスペ−スを設け、運転者が自筆署名した後、ハ−フラミネ−ト部を下面に接着させ、運転席から見える範囲に貼り、使用する。
【図面の簡単な説明】
【００１１】
以下、発明を実施するための最良形態を、図面により詳細に説明する。
【図１】ステッカ−の平面図である。
【図２】ステッカ−の縦断面図である。
【符号の説明】
【００１２】
１：交通遵守マナ−記載部
２：直筆誓約署名記載部
３：ハ−フラミネ−ト部
【図１】
0003128018.tif 000003
【図２】
0003128018.tif 000004
(57)【要約】【課題】テニスバッグの提供。【解決手段】テニスバッグの一種にはバッグ本体が設けられ、テニス用品の収納に供され、バッグ本体は少なくとも１つのジッパーを有し、そのバッグ本体を開ける（あるいは閉じる）のに供され、またバッグ本体の一端には少なくとも１つのフックが取り付けられている。使用時には、フックを物体（例えばテニスのネット）上に引っ掛け、バッグ本体をその物体の片側に立て、使用者は腰をかがめずに、直接ジッパーを開けて、テニスバッグ内のテニス用品を取り出す事ができる。同時にバッグ本体が立った状態であることを利用し、テニスバッグの口を開けて、テニスバッグを物置ラックとして使用することができる。【選択図】図２
0003128243.tif 000002
【実用新案登録請求の範囲】
【請求項１】
当該テニスバッグにはバッグ本体が設けられ、テニス用品の収納に供され、バッグ本体上には少なくとも１つのジッパーを有し、そのバッグ本体を開け、または閉じるのに供され、バッグ本体のサイドには、取っ手及びストラップを取り付け、使用者は取っ手を利用して、テニスバッグを手に持ち、或いはストラップを利用して、テニスバッグを肩にかけることができ、
また、そのバッグ本体の一端に少なくとも１つのフックが取り付けられ、使用時は、フックを物体上に引っ掛け、バッグ本体をその物体の片側に立てて、使用者は腰をかがめずに、直接ジッパーを開けて、テニスバッグ内のテニス用品を取り出す事ができ、同時にバッグ本体が立った状態であることを利用し、テニスバッグの口を開けて、テニスバッグを物置ラックとして使用することができることを特徴とするテニスバッグ。
【考案の詳細な説明】
【技術分野】
【０００１】
本考案はテニスバッグに関するもので、特に物置ラックの機能を兼ね備えた、バッグ内のテニス用品を取り出すのに便利なテニスバッグを指す。
【背景技術】
【０００２】
従来の一般的なテニスバッグは、テニスウェア、テニスシューズ、テニスラケット、テニスボールなどの物品を収納し、プレーヤーがテニス用品を携えてコート（或いは運動場）へ行き、プレー（或いはスポーツ）活動を行なうものである。
【０００３】
ただ、従来のテニスバッグは、テニス用品をコートへ携帯し、プレーをすることはできるが、テニスバッグ内のテニス用品を取り出す時、テニスバッグを地上に置いて、腰をかがめなければテニス用品を取り出す事ができず、非常に不便であり、またテニスバッグの表面が汚れやすい。
【考案の開示】
【考案が解決しようとする課題】
【０００４】
本考案は、前記した従来のテニスバッグの欠点に鑑み、考案者が各種テニスバッグの製造に従事した経験と技術の累積、そして上記の欠点の各種解決方法に対する心を尽くした研究、また絶え間ない研究と実験、改良に基づき、ついに本考案の全く新しいテニスバッグが開発設計され、以前の技術により生じる欠点が排除できることを望むものである。
【０００５】
本考案の目的の１つは、提供するテニスバッグが、物置ラックの機能を兼ね備えるとともに、バッグ内のテニス用品を取り出すのに便利であることである。
【０００６】
上記の目的に基づき、そのテニスバッグにはバッグ本体が設けられ、バッグ本体上には少なくとも１つのジッパーを有し、当該バッグ本体を開ける（あるいは閉じる）のに供される。バッグ本体の一端には少なくとも１つのフックが取り付けられ、使用時には、フックを物体（例えばテニスのネット）上に引っ掛け、バッグ本体をその物体の片側に立て、使用者は腰をかかめずに、直接ジッパーを開けて、テニスバッグ内のテニス用品を取り出す事ができる。同時にバッグ本体が立った状態であることを利用し、テニスバッグの口を開けて、テニスバッグを物置ラックとして使用することができ、物置ラックの機能を兼ね備え、バッグ内のテニス用品を取り出すのが便利であるという目的を達成したものである。
【課題を解決するための手段】
【０００７】
請求項１の考案は、当該テニスバッグにはバッグ本体が設けられ、テニス用品の収納に供され、バッグ本体上には少なくとも１つのジッパーを有し、そのバッグ本体を開け、または閉じるのに供され、バッグ本体のサイドには、取っ手及びストラップを取り付け、使用者は取っ手を利用して、テニスバッグを手に持ち、或いはストラップを利用して、テニスバッグを肩にかけることができ、
また、そのバッグ本体の一端に少なくとも１つのフックが取り付けられ、使用時は、フックを物体上に引っ掛け、バッグ本体をその物体の片側に立てて、使用者は腰をかがめずに、直接ジッパーを開けて、テニスバッグ内のテニス用品を取り出す事ができ、同時にバッグ本体が立った状態であることを利用し、テニスバッグの口を開けて、テニスバッグを物置ラックとして使用することができることを特徴とするテニスバッグとしている。
【考案の効果】
【０００８】
本考案のテニスバッグは、提供するテニスバッグが、物置ラックの機能を兼ね備えるとともに、バッグ内のテニス用品を取り出すのに便利であることである。
【考案を実施するための最良の形態】
【０００９】
本考案は「テニスバッグ」の一種に関するもので、図１、図２、図３を参照のこと。そのテニスバッグはバッグ本体１０を設け、テニス用品の収納に供され、バッグ本体１０上には少なくともジッパー１１ １つを有し、そのバッグ本体１０を開ける（あるいは閉じる）のに供する。バッグ本体１０のサイドには取っ手１２及びストラップ１３を取り付け、使用者は取っ手１２を利用して、テニスバッグを手に持ったり、或いはストラップ１３を利用して、テニスバッグを肩にかける。またバッグ本体１０の一端には少なくとも１つのフック１４が取り付けられている。
【００１０】
上記の構造に基づき、使用時は、フック１４を物体２１（例えばテニスのネット）上に引っ掛け、バッグ本体１０をその物体２１の片側（図３に例を示す）に立て、使用者は腰をかがかめずに、直接ジッパー１１を開けて、テニスバッグ内のテニス用品を取り出す事ができる。或いはバッグ本体１０が立った状態であることを利用し、テニスバッグの口を開けて、テニスバッグを物置ラックとして使用することもできる。このようにテニスをする時、そのテニスバッグ内にテニスボールをいっぱい詰め、使用者が随時そのテニスバッグ中からテニスボールを取り出してプレーすることができる。物置ラックの機能を兼ね備え、バッグ内のテニス用品を取り出すのが便利であるという機能と目的を達成するものである。
【００１１】
以上をまとめると、本考案のテニスバッグは、確かに今までにないオリジナルな構造を有し、またどのような書物にも記載されていない。且つ市場にも類似製品が見られないことから、それは疑いなく新奇性を有している。このほか、本考案が持つ独特の特徴及び機能は、従来のものと大きく異なり、そのため、確実に従来のものに比べ、さらなる進歩性を有している。
【図面の簡単な説明】
【００１２】
【図１】本考案のテニスバッグの立体外観図である。
【図２】本考案のTBの外観図である。
【図３】本考案のテニスバッグを立てた図である。
【符号の説明】
【００１３】
１０  バッグ本体  
１１  ジッパー
１２  取っ手  
１３  ストラップ  
１４  フック
２１  物体
【図１】
0003128243.tif 000003
【図２】
0003128243.tif 000004
【図３】
0003128243.tif 000005
(57)【要約】【課題】引き輪の引き軸を移動させる引きピンの突出部を大きくし、しかも審美性を増すことにより操作性と装飾性の向上をはかる。【解決手段】引き軸を摺動移動させて引き輪の開口部を開閉する引きピンに宝石類又は加工貴金属類などの装飾玉を一体に取り付けてなる。これにより引き輪の開口部を開く際に引きピン自体を爪先で操作するのではなく装飾玉を指の爪先ではなしに指の腹で操作して引き軸を摺動移動させることにより引き輪の開口を容易におこなうことができる。また装飾玉の存在がネックレス等の審美性をより一層向上させることができ著しく装飾性を増すことができる。【選択図】図１
0003128197.tif 000002
【実用新案登録請求の範囲】
【請求項１】
引き軸を摺動移動させて引き輪の開口部を開閉する引きピンに装飾玉を一体に取り付けてなる引き輪式止め金具。
【請求項２】
引きピンに一体に取り付けられる装飾玉が宝石類又は加工貴金属類であるところの請求項１に記載の引き輪式止め金具。
【請求項３】
装飾玉の表面にダイヤモンドカット等の粗面化加工を施してなるところの請求項１または請求項２に記載の引き輪式止め金具。
【考案の詳細な説明】
【技術分野】
【０００１】
本考案は、ネックレスなどにおけるチェーンの端部を連結するために用いられる引き輪式の止め金具の改良に関し、操作性の向上と装身具としての審美性を増して装飾性を向上させることを目的とする。
【背景技術】
【０００２】
従来汎用されてきたこの種の引き輪式止め金具は、例えば環状に構成された引き輪の一部に開口部を設けるとともに、引き輪内に該引き輪に沿って摺動移動が自在の、外部に操作用引きピンを突出させた引き軸を装入し、引きピンにより引き軸を上記開口部方向に向け、あるいは開口部を開口させる方向に向けて移動させることにより該開口部を開閉することができるようにしたものが一般的に知られている（例えば特開２００１−２９１１３号公報あるいは登録実用新案第３０４６７１１号公報を参照）。
【特許文献１】特開２００１ー２９１１３号公報
【特許文献２】登録実用新案第３０４６７１１号公報
【考案の開示】
【考案が解決しようとする課題】
【０００３】
しかしながら、上記した従来の引き輪式止め金具は、図２に示したように引き軸２を移動させるために引き輪１の外方に突出させた引きピン３の存在が外観上審美性を損ないがちであるために、殆ど例外なく引きピン３の存在を小さく構成しているところから、特にネックレスチェーン等を首回りに掛けた状態で指の爪先で引きピン３を押し下げ操作〔図２（Ａ）参照〕して開口部４を開口させる〔図２（Ｂ）参照〕場合に、手探り状態でおこなうことと相俟って引きピン３が小さすぎるところから著しく操作性が悪く、また爪先を損傷することも少なくない。
【課題を解決するための手段】
【０００４】
そこで本考案は、上記した引き輪式止め金具の操作性を向上させるとともに、引きピンの存在自体がより一層審美性向上に向けて機能するようにしたものであって、具体的には引き軸を摺動移動させて引き輪の開口部を開閉する引きピンに宝石類又は加工貴金属類などの装飾玉を一体に取り付けてなる引き輪式止め金具に関する。
【考案の効果】
【０００５】
本考案は上記した通り、引きピンに宝石類又は加工貴金属類などの装飾玉を一体に取り付けてなるものであるために、引き輪の開口部を開く際に引きピン自体を爪先で操作するのではなく装飾玉を指の爪先ではなしに指の腹で操作して引き軸を摺動移動させることにより引き輪の開口操作を容易かつ確実におこなうことができる。また装飾玉の存在がネックレス等の審美性をより一層向上させることができ著しく装飾性を増すことができる。
【考案を実施するための最良の形態】
【０００６】
以下において本考案の具体的な内容を図１の実施例をもとに説明すると、１１はネックレスチェーン等の端部を連結するために取り付けられた環状の引き輪式止め金具の引き輪、１２は引き輪１１内に環状方向に向けて摺動移動が可能であって、しかも常時引き輪１１の開口部１４を閉じる方向に向けて付勢させた状態で取り付けられている引き軸、１３は引き軸１２に一体に取り付けられ、一端を引き輪１１の外方に向けて突出させた引きピン、１３ａは該引きピン１３の突出端に一体に取り付けられた装飾玉を示す。
【０００７】
さらに引き輪１１の一部には開口部１４が形成されており、引き輪１１内に装入された引き軸１２を、その付勢力に抗して摺動移動させることにより引き輪１１の開口部１４を開閉することができるようになっている。
【０００８】
なお、この場合に使用される装飾玉１３ａとしてはダイヤモンド、あるいは人工ダイヤ、ルビーなど種々の宝石類、あるいは装飾されたプラチナ、金、銀などの加工貴金属類等の取り付けが可能である。またこれらの装飾玉１３ａの引きピン１３先端部に対する取り付けに際しては、加工貴金属類等にあってはロウ付けやレーザー溶接により、また宝石類等にあっては接着剤を使用する等により行うものとする。
【０００９】
さらに上記装飾玉１３ａの表面にダイヤモンドカット等の粗面化加工を施した場合には、引きピン１３を介した引き軸１２の操作に際して指の滑りがなく、操作性がより一層良好となる。
【００１０】
上記の構成において、本願の引き輪式止め金具をネックレス等のチェーンの端部に取り付け、図１（Ａ）にあらわした状態において、指先の腹により装飾玉１３ａを押し下げると、これに伴って引き軸１２が引き輪１１の環状方向に沿って摺動移動し、引き軸１２の一部である開口部１４が容易かつ確実に開口される〔図１（Ｂ）参照〕。
【図面の簡単な説明】
【００１１】
【図１】本考案の実施例である引き輪式止め金具の部分拡大側面図であって、引き輪の開口部を閉じた状態（Ａ）と、開いた状態（Ｂ）を示す。
【図２】従来品である引き輪式と目金具の部分拡大側面図であって、引き輪の開口部を閉じた状態（Ａ）と、開いた状態（Ｂ）を示す。
【符号の説明】
【００１２】
１１        引き輪
１２        引き軸
１３        引きピン
１３ａ      装飾玉
１４        開口部
【図１】
0003128197.tif 000003
【図２】
0003128197.tif 000004
(57)【要約】【課題】  金属製マッフルのもつ物性を低めることなく、その内底上を移動する鋼製ランニングベルトの駆動性を高めることができる加熱炉内の金属製マッフルを提案する。【解決手段】  金属製マッフルの内底に当たる部分で且つ鋼製のランニングベルトが摺接しながら走行する部分を炭素質で覆うようにしたものである。【選択図】  図２
0003128191.tif 000002
【実用新案登録請求の範囲】
【請求項１】
マッフル内底に当たる部分を炭素質とし、その上を鋼製のランニングベルトが摺接して駆動するように構成したことを特徴とする加熱炉内の金属製マッフル。
【請求項２】
炭素質がマッフル内底に当たる部分を覆って固定された板体である請求項１記載の加熱炉内の金属製マッフル。
【請求項３】
内底に当たる部分が炉床をなす請求項１記載の加熱炉内の金属製マッフル。
【考案の詳細な説明】
【技術分野】
【０００１】
この考案は、金属製マッフルの耐腐食性を高めうることは勿論のこと、同時に鋼製のランニングベルトのマッフル中での駆動性をも高めうる、加熱炉内の金属製マッフル中に置かれる炭素質の板体に関するものである。
【背景技術】
【０００２】
マッフルはその中に不活性ガスを入れるために、その入口、出口および該ガスの導入管等を除き、空密に作られている。かかるマッフルの一例として金属製マッフルが、アメリカ合衆国特許第６，２８０，１８２号に記載されており、その中で加熱される被加熱処理物の蒸発物からマッフルを守る一方法が述べられている。
【特許文献１】米国特許第６，２８０，１８２号明細書
【０００３】
また、かかる金属製のマッフルの耐久性、特にその耐腐食性は、それの全部または一部を炭素質とすれば改善されることは、今までにつとに知られている。
【０００４】
ところが、炉内のマッフル中を駆動し、被加熱物が積載される鋼製のランニングベルトの駆動性の向上、特に金属製マッフルと鋼製ベルト間の摺接性即ち摩擦性についての明白な記述は見当たらない。
【考案の開示】
【考案が解決しようとする課題】
【０００５】
そこで、この考案は、マッフルと摺接する鋼製のランニングベルトがより滑性に金属製マッフル中を駆動できるようにすることを、課題とする。
【課題を解決するための手段】
【０００６】
この考案では、被加熱製品が積載される鋼製ベルトが、加熱炉中のマッフルの金属と当たらないように、そこに炭素質体を固定的に置いた。即ち、金属マッフルの金属ベルトとあたる内底部を炭素質となるようにすればよい。この場合に、炭素質の板を金属製マッフルの内底部を覆うようにその上に置いても、あるいは炭素質が直接に金属マッフルの炉床をなすようにしても良いが、これらは何れも炭素質を金属製マッフルの一部とする範疇にあることに間違いない。
【考案の効果】
【０００７】
上記した通り、この考案は今までよりも円滑に鋼製のランニングベルトが駆動することができる金属製マッフルを経済的に提供することができる。
【考案を実施するための最良の形態】
【０００８】
図１に示されるろう付け炉１のトンネル状の金属製マッフル２は、２５Ｃｒ２０Ｎｉ型鋼板になり、不活性ガスの一つである窒素を雰囲気とした。３はマッフルの鋼板の内底部４上を摺動自在に走行する同様な耐熱性の鋼製のランニングベルトである。かかる鋼製ベルトは、一般に炭素質のベルトよりも経済的につくり得る。このベルト上には、予めフラックスとブレージングシートを付けた被加熱アルミニウム製品が積載される。
【０００９】
この被加熱製品を、ラジアント加熱チューブ６により金属マッフルと金属ベルトの融点より低い温度約６００℃で連続加熱ろう付け処理したところ、約３００時間を過ぎた頃に、金属製マッフル２の底部に孔食ができ、その窒素雰囲気に障害が生じた。なお、金属製マッフル２の鋼板内定部４と、毎分８０ｃｍで駆動した鋼のランニングベルト３との間の摩擦係数は０．６であった。
【００１０】
従来例を示す図１に対して、図２は本考案になる加熱炉中の金属製マッフルである。この図２中で、図１と同じ部分には、同一の符号を施した。符号５は厚さ２０ｍｍで、全長が金属製マッフル２より長い炭素質のグラファイト板で、金属製マッフル２の内底部４を覆うようにその上に固定されている。
【００１１】
この炉を使い、図１に関連して先に述べたところと同様な連続加熱ろう付け処理をした。約９２０時間を過ぎた頃に、金属製マッフル２の底部に続くその金属部分に孔食が認められ、その窒素雰囲気に障害が生じた。グラファイト板５とその上を駆動した金属ランニング・ベルト３との摩擦係数は、この場合には図１を参照して述べた場合よりも相当に低く０．３であった。なお、グラファイト板５をそのままマッフル内底部４を形成して、金属製マッフルの炉床としたときも上記したところと同様であった。
【図面の簡単な説明】
【００１２】
【図１】これまでの加熱炉内の金属製マッフルの説明的な断面図である。
【図２】本考案による加熱炉内の金属製マッフルの、図１と同様な説明的な断面図である。
【符号の説明】
【００１３】
１  加熱炉
２  不活性ガスが入れられる金属製マッフル
３  鋼製のベルト
４  マッフルの内底部
５  炭素質板
６  ラジアント加熱チューブ
【図１】
0003128191.tif 000003
【図２】
0003128191.tif 000004
(57)【要約】【課題】商品を吊り下げた状態で輸送することができ、店頭にて簡単に展示することができる大型飾台を提供する。【解決手段】複数の切込を配置した平板と折目を設けた支板を貼着してなる板紙又は段ボール製の大型飾台であって、前記支板には、前記切込との重合部に切込孔を設け、前記切込にフックの掛部を引っ掛けた際に、支板に干渉しない構造にし、支板を折り畳み、商品をフックに吊した状態で輸送できるようにした。また、展示の際には、一対の支板を両側に開き、コの字形状に形成することができる補助板を支板の切込溝に差し込むだけで簡単に組み立てることができる。【選択図】図８
0003128140.tif 000002
【実用新案登録請求の範囲】
【請求項１】
複数の切込を配置した平板と折目を設けた支板を貼着してなる板紙又は段ボール製の大型飾台であって、前記支板には、前記切込との重合部に切込孔を設け、フックの掛部が支板に干渉しない構造としたことを特徴とする大型飾台。
【考案の詳細な説明】
【技術分野】
【０００１】
本考案は、しめ飾りなどを展示するための大型飾台に関するものである。
【背景技術】
【０００２】
従来より、店頭などで商品を展示する方法として、板紙又は段ボールなどにフックなどを取り付け商品を吊り下げる方法がよく見受けられる。また、フックの代わりに板紙などをフック形状にしているものもある。（例えば、特許文献１参照）
【特許文献１】実公平７−４２９５０号公報
【考案の開示】
【考案が解決しようとする課題】
【０００３】
しかしながら、従来の方法では重量の重い商品などには不向きであった。また、大型の飾台は折り畳み、コンパクトな状態で輸送し、店頭にて組み立て、その後、商品を吊り下げて展示しており、店頭での組み立て、商品の吊り下げという手間があった。
【０００４】
そこでこの考案は、安価で且つ、商品を吊り下げた状態で輸送することができ、店頭にて簡単に展示することができる大型飾台を提供する事を課題とする。
【課題を解決するための手段】
【０００５】
以上の課題を解決するために、この考案は、複数の切込を配置した平板と折目を設けた支板を貼着してなる板紙又は段ボール製の大型飾台であって、前記支板には、前記切込との重合部に切込孔を設け、フックの掛部が支板に干渉しない構造とした。
【考案の効果】
【０００６】
本考案によれば、フックを引っ掛け商品を吊り下げた状態で輸送することができ、店頭にて簡単に組み立て、展示することができる。また、板紙又は段ボールを素材としたことにより、安価で廃棄処分が容易である。
【考案を実施するための最良の形態】
【０００７】
本考案の実施の形態について図１乃至図９に基づいて説明する。図１は、平板１の展開図であり、板紙又は段ボールを素材とする矩形状の平板１には、フック２０を掛けるための切込３を所定の間隔に設けている。このとき、切込３の形状は図４に示すように、コの字形状に切込３を設け、その基端を折目cとする。また、折目cを切り取り貫通孔としても良い。
【０００８】
図２は、支板２の展開図であり、板紙又は段ボールを素材とする矩形状の付代片５の一方の側縁に折目aを介して斜面片６を連設している。このような展開図からなる平板１と一対の支板２を図５に示すように、付代片５と平板１の端を合わせ、夫々貼着させる。貼着させる方法は、両面テープ、接着剤を使用すると良い。
【０００９】
上記のように、貼着された支板２には、平板１の切込３と重なる部分に切込孔４を夫々設ける。このとき、切込孔４の大きさは、図６に示すように、フック２０の掛部２１を平板１の切込３に引っ掛けた際に、掛部２１が切込孔４に当たらないようにすることが望ましい。このような形状であれば、支板２を展開した状態でもフック２０の掛部２１が支板２に干渉することなく輸送することができる。
【００１０】
次に大型飾台３０を組み立てる方法について説明する。図７に示すように、一対の支板２を折目ｂに沿って垂直に立ち上げ、次に、コの字形状に形成することができる補助板１０には支板２の切込溝７と連結させるための切込溝１１を設け、前記切込溝７と夫々連結させることにより、図８に示すような大型飾台３０を形成することができる。また、補助板１０の数量は飾台の大きさに応じて増やしても良い。
【００１１】
以上、本考案は上記実施形態の構成に限定されるものではなく、図９に示すように、支板２は、付代片５の両縁に折目bを介して斜面片６を連設した一体型の形態でも良い。    
【図面の簡単な説明】
【００１２】
【図１】本考案の平板１の展開図である。
【図２】本考案の支板２の展開図である。
【図３】本校案の補助板１０の展開図である。
【図４】切込３の拡大図である。
【図５】平板１と付代片５を貼着させた状態を示す斜視構成図である。
【図６】掛部２１を平板１の切込３に掛けた状態を示す横断面図である。
【図７】支板２の切込溝７に補助板１０を設置した状態を示す斜視構成図である。
【図８】本考案の大型飾台３０の斜視構成図である。
【図９】支板２の他の形状を示す展開図である。
【符号の説明】
【００１３】
１  平板
２  支板
３  切込
４  切込孔
５  付代片
６  斜面片
７、１１  切込溝
１０  補助片
２０  フック
２１  掛部
３０  大型飾台
a、b、c 折目
【図１】
0003128140.tif 000003
【図２】
0003128140.tif 000004
【図３】
0003128140.tif 000005
【図４】
0003128140.tif 000006
【図５】
0003128140.tif 000007
【図６】
0003128140.tif 000008
【図７】
0003128140.tif 000009
【図８】
0003128140.tif 000010
【図９】
0003128140.tif 000011
(57)【要約】【課題】従来、網戸はサッシ枠に填め込まれて固定取り付けされている。このために網戸は１年中外に放置された状態になるので、網の汚れや劣化がひどく、一定時期にこれを張り替える必要があった。また、その対策で網戸のロール巻き取り方式も考えられているが、構造が複雑であり高コストになるので、本考案は簡単簡潔にて行える技術を提供することにある。【解決手段】縦に配した、網戸巻取軸（１）に網戸ロール（９）を差し込んで設け、この前記軸の両端（２）に、上網戸ガイド（３）と下網戸ガイド（４）を貫通して設け、さらに網戸巻取軸（１）の両端（２）に、巻尺バネ式動力巻取部（５）を設け、網戸本体（６）の網戸側端部（７）に樹脂密閉マグネット（８）を装着する。【選択図】図１
0003128127.tif 000002
【実用新案登録請求の範囲】
【請求項１】
縦に配した、網戸巻取軸（１）に網戸ロール（９）を差し込んで設け、この前記軸の両端（２）に、上網戸ガイド（３）と下網戸ガイド（４）を貫通して設け、さらに網戸巻取軸（１）の両端（２）に、巻尺バネ式動力巻取部（５）を設け、網戸本体（６）の網戸側端部（７）に樹脂密閉マグネット（８）を装着してなる、巻取り網戸。
【考案の詳細な説明】
【技術分野】
【０００１】  本考案は、填込み網戸の欠点を解消し、使い易さを目的とする、網戸技術に関するものである。
【背景技術】
【０００２】  現在、各種網戸類はサッシ枠に固定されて、年中窓枠に取付けたままである。
【考案の開示】
【考案が解決しようとする課題】
【０００３】  従来、網戸はサッシ枠に張付けた状態で固定され、１年中窓サッシの外側に放置されるので、汚れ易くまた、傷み易く、定期的に張り替える必要があった。
最近は、これらを解決することも兼ねて、特開２００６−１６８１５のごとくロール網戸や、特開２００１−２３４６７８のロール型収納網戸、そしてまた特開２００１−２０７７５５の縦型ロール網戸、さらに特開平９−２５６７５５巻取式網戸等、各種の網戸巻取方式の技術が開示されている。しかしながら、どれも複雑な構造で構成されており、現時点では、なかなかコスト競合のなかで、高コストの係るものなどを、追加したくないのが本音である。このためローコストで簡単な方法を考えながら、日夜模索しているのである。
本考案は、このような問題を改善する為になされたものである。
【課題を解決するための手段】
【０００４】  まず、網戸本体（６）を巻き取る、縦に配した網戸巻取軸（１）に、網戸ロール（９）を差し込んで設ける。次にこの網戸巻取軸（１）の両端（２）に、網戸本体（６）をガイドしながら滑らす、上網戸ガイド（３）と下網戸ガイド（４）を設ける。この時、前記巻取軸の両先端は、上網戸ガイド（３）および下網戸ガイド（４）を貫通して、少し出た状態に設ける。ここで、前記ガイドをサッシ枠に固定する。さらにこの少し出た、前記巻取軸の両端（２）に巻尺バネ式動力巻取部（５）を、固定して設ける。この前記巻取部は、シンプルなストップ機構の無い巻尺構造で構成されている。最後に網戸本体（６）の網戸側端部（７）に、樹脂密閉マグネット（８）を装着する。
本考案は以上のような構成による、巻取り網戸である。
【考案の効果】
【０００５】  １．網戸のシーズンが終われば、巻き取って網戸ロールとして、保管できるので網戸寿命が大幅に延びる。
２．また網戸は簡単にガイドに沿って引き出して、マグネットで止め、開けるときは、このマグネットを固定部から離すと、自動的に網戸を巻取ってくれるので、子供でも誰でも、手軽に開閉出来る。
３．そして極めてシンプル構造であるから、低コストで提供出来る。
【考案を実施するための最良の形態】
【０００６】  従来の網戸と云えば、サッシ枠に填め込んだままで固定されて使用されている。しかし、１年中つけたまま外側に放置される事が多く、これでは網戸の網が汚れるし、劣化して破れたりするので定期的に、網戸を張り替える必要が生じている。また、最近ロールに巻き取る方式の網戸が考えられているが、どれも構造が複雑で高コストになり、これでは広く一般家庭に普及できるようなものは作れないと見る。まず、網フイルムである網戸本体（６）を巻き取るために、縦に配した網戸巻取軸（１）を用意する。この網戸巻取軸（１）に網戸ロール（９）を挿入して設ける。さらにこの網戸巻取軸（１）の両端（２）に、つまり軸の上端と下端に、網戸本体（６）を外れないように、しかも透き間の無い状態でガイドしながら左右に滑らせるために、上網戸ガイドと下網戸ガイドを設ける。この時に網戸巻取軸（１）の両端の先は、前記ガイドを貫通させて少し出た状態に設ける。この状態で前記ガイドをサッシ枠に固定する。そしてこの貫通させて少し出た、網戸巻取軸（１）の両端（２）に巻尺バネ式動力巻取部（５）を固定して設ける。この前記巻取部は巻尺のバネ力による巻取構造と同じで、まったくシンプルで途中ストップ機能付きでも、ストップ無しでも良い。最後に網戸本体（６）の網戸側端部（７）に、強力な本考案者が開発した樹脂密閉マグネット（８）を装着する。
本考案は以上のような構成であり、これを使用せんとするときには、【０００７】  網戸を閉める時は、網戸本体（６）の網戸側端部（７）を網戸ガイドに沿って、閉方向に引っ張る。これにより網戸ロール（９）が緩み、網戸本体がどんどん出て来る、そして網戸側端部（７）に装着してる樹脂密閉マグネット（８）をサッシ枠の指定位置に付着させて網戸を閉める。また網戸を開ける時は樹脂密閉マグネット（８）を指定位置より外して、手を離してやれば巻尺バネ式動力部（５）の、バネ巻取により自然に、網戸本体（６）を網戸ロール（９）に巻き取って行き、つまり網戸は自然にゆっくりと、するすると開けられるわけである。
【図面の簡単な説明】
【０００８】
【図１】  本考案の正面図である。
【図２】  本考案の実施図である。
【符号の説明】
【０００９】  １  網戸巻取軸
２  両端
３  上網戸ガイド
４  下網戸ガイド
５  巻尺バネ式動力巻取部
６  網戸本体
７  網戸側端部
８  樹脂密閉マグネット
９  網戸ロール
【図１】
0003128127.tif 000003
【図２】
0003128127.tif 000004
(57)【要約】【課題】容器内の収容物を有害な殺菌剤や複雑な装置等を用いることなく手軽に滅菌できるような滅菌具を提供する。【解決手段】光触媒型酸化チタンを含むコーティング材で粒状体の表面をコーティングして、紫外線等の光源下で作用する滅菌具とする。またその粒状体の嵩比重が０．７〜１．３になるようにし、望ましくはコーティング材を融点８００℃以下の釉薬類とし、粒状体をセラミックスにする。【選択図】図１
0003128126.tif 000002
【実用新案登録請求の範囲】
【請求項１】
光触媒型酸化チタンを含むコーティング材で粒状体の表面をコーティングして成る滅菌具。
【請求項２】
粒状体の嵩比重が０．７〜１．３である請求項１記載の滅菌具。
【請求項３】
コーティング材が融点８００℃以下の釉薬類であり、粒状体がセラミックスである請求項１又は２記載の滅菌具。
【考案の詳細な説明】
【技術分野】
【０００１】この考案は、容器内の飲料や洗濯機内収容物等を滅菌する滅菌具に関する。
【背景技術】
【０００２】飲料水など人体の健康に直接関わるものに雑菌が紛れ込む機会は多いから、これを防ぐために様々な殺菌・消毒剤や抗菌・滅菌具等が既に数多く出回っている。殺菌・消毒剤では、一般に次亜塩素酸系のものやクレゾール、その他各種のものが知られているが、強力な殺菌力を有するものは概ね人体にも有害である。また抗菌・滅菌具の類は一般に加熱、紫外線、オゾン、或いは光触媒作用等を応用しているが、これらも作用の強力なものは構造が複雑化ないし大型化し、それだけに使用範囲も限られている。
【考案の開示】
【考案が解決しようとする課題】
【０００３】こののような現状において、例えばグラス内とか洗濯機内などの収容物（衣服）をより手軽に滅菌することは在来の手段では無理があった。本考案はかかる問題点を解決することを課題とする。
【課題を解決するための手段】
【０００４】光触媒型酸化チタンを含むコーティング材１で粒状体２の表面をコーティングして、本考案の滅菌具とする。【０００５】粒状体２の大きさ及び形状は特に限定しないが、典型的なものとして直径１ｃｍ程度の球状物が挙げられる。その表面に、いわゆる光触媒作用を有するとされる酸化チタンを（その光触媒作用を発揮する程度に）含むコーティング材１を適当厚にコーティングするわけであるが、それは在来の合成樹脂バインダー型塗料でも良いし、或いは融点が８００℃以下、好ましくは６００℃位の釉薬類でも良い。後者の場合は非鉛系のフリットを配合するなどにより酸化チタンの物性を損なうことなく釉薬化することが可能であるが、これを適用する粒状体２は言うまでもなく耐熱性のセラミックス（通常の素焼物など）となる。かかるセラミック系のものは耐久性に優れているため、適用範囲もそれだけ広くなる。【０００６】なおいずれの場合も、かかる粒状体２の嵩比重を１前後、すなわち０．７〜１．３になるようにしておくと、これを水中に没入して使用する際に著しく浮かんだり沈み易かったりすることがないから、容器内の収容物にむらなく接触させ易くなり効果を存分に発揮できるようになる。またもともと比重が重い原料でこのような嵩比重のものにする手段としては、例えば中空体にする、発泡体にする、軽量骨材を混合する、「浮き」を取り付けるなどの方法がある。【０００７】上記のような本考案の滅菌具を実際に使用しその効果を発揮させるためには、紫外線や青色系の光を照射する環境におくことが必要である。例えば太陽光下や明るい蛍光灯下などであればそのままでも良いが、例えば洗濯機内などであれば、そこに紫外線ランプ３などを設置する必要がある。
【考案の効果】
【０００８】本考案はこのような構成であるから、昼光もしくは明光下においてはそのまま、暗光下では紫外線ランプを取り付けることにより、水中でこれに接した箇所は光触媒作用で強力に滅菌され、その際、有害な殺菌剤等を要したり残留させることがない。またその形状が（比重が１に近い）粒状体であるから、容器内に収まったものであれば、甚だ流動的に１個又は複数個を水中でかき回してその表面との接触機会を増やすことにより、光触媒滅菌作用を存分に高めることができるという効果がある。
【考案を実施するための最良の形態】
【０００９】木節粘土３０Ｗ％、長石２０Ｗ％、モナザイト１０Ｗ％、その他必要に応じアルミナ、酸化第二鉄、酸化コバルト、ゲルマニウム化合物、或いは医王石などの薬石を混合した窯業原料を椀形に整形してその一対を合わせ中空体に形成、焼成して、その表面に酸化チタンとフリットを主原料とする  薬を約０．５ｍｍ厚に塗布し、約６００℃で焼成する。このようにして得られる中空体の直径は用途により異なるものの約０．５〜３ｃｍ程度とし、その嵩比重ができるだけ１に近くなるようにその中空部の寸法を原料の比重に照らして計算・選定する。一方、マドラー用などのものは非中空体として形成する。【００１０】上記の酸化チタンコーティング中空体を滅菌具として使用するにあたり、例えば電気洗濯機の衣服収容部の内壁又は蓋の下面に紫外線ランプを取り付けておき、そこに当該滅菌具を数個投入する。すると酸化チタンが触媒となって紫外線のエネルギーで水中の酸素を活性酸素化し、衣服に残留する各種雑菌を滅菌する。【００１１】なお上記のようなセラミックス系のもので作らず、ゴム、木材、プラスチックス等、より軟質のものにしても良い。
【産業上の利用可能性】
【００１２】このように本考案の滅菌具は、容器内にあるものを一切の有害な殺菌剤や複雑な装置類を用いることなく滅菌できる至ってシンプルなものであって、甚だ量産・実施しやすいものであるから、産業上の利用可能性は十分にあるといえる。
【図面の簡単な説明】
【００１３】
【図１】本考案一例の（拡大）断面図
【符号の説明】
【００１４】１……コーティング材
２……粒状体
【図１】
0003128126.tif 000003
(57)【要約】【課題】野菜、草花の倒れ防止に杭を利用し紐等でそれぞれの杭と草木にくくり付けているが、ずり落ちないようしっかり結んでいたまた撤去も紐を解くのに大変な労力を費やしていた【解決手段】引っ掛け金具を有する支柱と支柱間に渡す梯子状の紐からなる野菜、花木の倒れ防止用具【選択図】図５
0003128128.tif 000002
【実用新案登録請求の範囲】
【請求項１】
引っ掛け金具を有する支柱と支柱間に渡す梯子状の紐からなる野菜、花木の倒れ防止用具
【考案の詳細な説明】
【技術分野】
【０００１】  本考案は野菜及び花木類の倒れ防止用とするための杭（支柱）の改良とその専用紐の考案に関する。
【背景技術】
【０００２】  市販している支柱に市販の紐等で結んでいるが労力が掛り、撤去等にも時間、労力を要す。
【考案の開示】
【考案が解決しようとする課題】
【０００３】  簡単に手早く設置、撤去も簡単にでき、野菜、花木の形状に応じて、倒れ防止をし、なお再利用が可能なこと安価、軽量であること。
【課題を解決するための手段】
【０００４】  野菜及び花木の倒れ防止のために簡単で手早く確実に植物の形状に応じた設置ができ、撤去も簡単で再利用も十分可能な支柱及びそれに対応する紐。
従来の支柱に引っ掛け金具を取り付ける又それに適応する梯子状の紐を考案した。
【考案の効果】
【０００５】  操作、設定が簡単に短時間で確実にでき、なお撤去も簡単で再利用が何度も可能である。
野菜、草花等の長さ、高さ等大小の形状に対応可能である。
【考案を実施するための最良の形態】
【０００６】  利用する植物に適応する長さ、太さの支柱を数種作成又紐も支柱や植物に応じた強さのものを数種作成する。
【実施例】
【０００７】  １は支柱、２は支柱に取り付けた引っ掛け金具である。３は梯子状の図４に示すように隙間の空いた紐である。
３の紐は高さ、長さを自由に設定できる、１の支柱はそのため引っ掛け金具を一定間隔で数個設けている。
支柱の２の引っ掛け金具は図１−図３に示すように両側でも片側でも良い
図５に示すように野菜、花木の成長にあわせ高さ、長さを自由に又簡単にかけ直すことができるこの３の紐は植物に対し両面から支えても良い。
撤去も簡単に取り外しができ、再利用も充分可能である
トウモロコシ、エンドウ、大豆、ナス、ピーマン、オクラ、アスパラ、その他、色々の植物の倒れ防止また、ゴーヤ等の棚に利用。
また支柱間に３の紐を引っ掛けて、支柱の補強にも便利である
【図面の簡単な説明】
【０００８】
【図１】本考案の正面図（引っ掛け金具両面付け）
【図２】本考案の正面図（引っ掛け金具片面付け）
【図３】本考案の側面図
【図４】本考案の倒れ防止紐
【図５】本考案の実施例を示す斜視図
【符号の説明】
【０００９】        １            支柱
２            引っ掛け金具
３            倒れ防止紐
４            野菜、花木
【図１】
0003128128.tif 000003
【図２】
0003128128.tif 000004
【図３】
0003128128.tif 000005
【図４】
0003128128.tif 000006
【図５】
0003128128.tif 000007
(57)【要約】【課題】  本考案は外壁と内壁からなる二重構造で、上下貫通の容器であり、その空間部分に砂、水を入れて重量を増す事が出来る、着脱簡単な洗濯物干しスタンド簡易補助具【解決手段】  本考案の筒状で中空の洗濯物干しスタンド簡易補助具のキャップ部分２を開けて、中に市販されている砂や水を入れて重量を増し、設置する場所で、その筒状の洗濯物干しスタンド簡易補助具本体３の中に、１の洗濯物干しスタンドの折りたたみ式脚部分を挿入する。予め洗濯物干しスタンド上部４をはずして、脚を一本ずつ洗濯物干しスタンド簡易補助具に挿入し、いっぱいに広げる。そして、はずしていた洗濯物干しスタンド上部４を取り付ける。その事により、洗濯物干しスタンド自体の接地力が強くなり、安定性を増すことが出来、更に簡単に着脱移動もできて、問題点を解決している【選択図】図１
0003128123.tif 000002
【実用新案登録請求の範囲】
【請求項１】
本考案は、外壁と内壁からなる二重構造で、上下貫通の容器に、洗濯物干しスタンドの折りたたみ式脚部分を挿入し、容器の空間部分には、流動性の物を入れる事により安定性を増すことの出来る洗濯物干しスタンド簡易補助具
【考案の詳細な説明】
【技術分野】
【０００１】  本考案は外壁と内壁からなる二重構造で、上下貫通の容器に、砂、水を入れて重量を増す事が出来る、着脱簡単な洗濯物干しスタンド簡易補助具に関するものである。
【背景技術】
【０００２】  洗濯物干しスタンドを利用する場合、洗濯物干しスタンド簡易補助具を使った例はなく、室内・室外を洗濯物干しスタンド簡易補助具なしで、簡単に移動して利用していた。
【考案の開示】
【考案が解決しようとする課題】
【０００３】  消費者が持ち帰る際に出来るだけ軽くて持ち運びを容易にする為に、折りたたみ脚にする必要があった。洗濯物を干す場合必ずしも、天気の良い日だけではなく、風の弱い日であっても、突風が吹き、洗濯物がスタンドごと倒れる場合が多い。すなわち、折りたたみ式スタンド脚部分が軽すぎて、簡単に曲げ伸ばし出来る事が逆に不安定にさせている。その為、上からの重量には耐えられるが、横からの風圧を加えると洗濯物が抵抗を受けて、スタンド自体の接地力が弱くなり、倒れる事が多い。そこで、脚部分に洗濯物干しスタンド簡易補助具を取り付ける事により、前述の欠点を解決しようとするものである。
【課題を解決するための手段】
【０００４】  本考案の洗濯物干しスタンド簡易補助具（外壁と内壁からなる二重構造で、上下貫通の容器）に洗濯物干しスタンドの折りたたみ式脚部分を挿入し、脚を一本ずついっぱいに広げる。空間部分の、キャップ部分を開けて、流動性の物（砂、又は水）を入れる事により洗濯物干しスタンドの安定性を増すことが出来、更に簡単に着脱移動もできて、問題点を解決している。
【考案の効果】
【０００５】  洗濯物干しスタンドの折りたたみ式脚部分に、たとえば、コンクリートブロックなどの重りを、直接をのせると時間が経つにつれて動いて、外れる場合もある。又、スタンド自体を傷つけてしまい、被膜が剥げて錆ができるなどスタンド自体の劣化が始まる。そこで、この考案の、洗濯物干しスタンド簡易補助具を使用すれば、着脱簡単でスタンドを傷つけることなく室内・室外を移動でき、安心して洗濯物を干す事が出来る。又、筒状で上下貫通の形体の為、雨水が溜まる事無く衛生的である。
【考案を実施するための最良の形態】
【０００６】  本考案の洗濯物干しスタンド簡易補助具のキャップ部分を開けて、中に市販されている砂、又は水を流し込む、設置する場所で、スタンド上部をはずして、脚を一本ずつ洗濯物干しスタンド簡易補助具の中に挿入し、いっぱいに広げる。そして、はずしていたスタンド上部を取り付ける。
【実施例】
【０００７】  以下、添付図面に従って実施例を説明する。１は、既存の洗濯物干しスタンド本体。２は、耐久性のプラスチックス等適宜素材にて形成された、洗濯物干しスタンド簡易補助具のキャップ部分である。３は、洗濯物干しスタンド簡易補助具の本体である。４は洗濯物干しスタンド上部である。４の洗濯物干しスタンド上部は設置後取り付けたほうが容易である。
【図面の簡単な説明】
【０００８】
【図１】本考案の洗濯物干しスタンド簡易補助具の実施例を示す正面図である。
【図２】補助具の上からみた図である。
【符号の説明】
【０００９】１    洗濯物干しスタンド本体
２    洗濯物干しスタンド簡易補助具キャップ部分
３    洗濯物干しスタンド簡易補助具本体
４    洗濯物干しスタンド上部
【図１】
0003128123.tif 000003
【図２】
0003128123.tif 000004
(57)【要約】【課題】プール用コースロープフロートが現在、第一義的に果たしているコースの仕切り表示としている関係上、緊張ロープに許される限り多くのフロートが取付けられているのが実情である。したがって、各々的には波消効果が期待できるフロートも、密接して取付けられているため互いに干渉し合う事となり、その結果、波動の影響を大きく減少させるための回転が阻害され期待する消波効果が得られていない。【解決手段】  フロートの中央部に貫設された孔に、片端にストッパーを備えるとともに、他方端には止め手段を有する芯管を、独立して回転可能に設けたことを特徴とするプール用コースロープフロートで、該フロートを合成樹脂の成型品とし、且つ該品の中央部に貫設された孔に独立して回転可能に設けられる芯管もまた、合成樹脂の成型品であることを特徴としている。【選択図】図１
0003128122.tif 000002
【実用新案登録請求の範囲】
【請求項１】
プールの水中壁間に緊張されるワイヤーロープに取付けられるプール用コースロープフロートにおいて、
フロートの中央部に貫設された孔２に、片端にストッパー１２を備えるとともに、他方端には止め手段を有する芯管１１を、独立して回転可能に設けたことを特徴とするプール用コースロープフロート。
【請求項２】
コースロープフロートを合成樹脂の成型品とし、該品の中央部に貫設された孔２に独立して回転可能に設けられる芯管１１もまた、合成樹脂の成型品であることを特徴とする請求項１記載のプール用コースロープフロート。
【考案の詳細な説明】
【技術分野】
【０００１】  本考案はプールのコース仕切り表示に使用されるコースロープフロートに係り、特に消波効果の向上が期待できるフロートに関するものである。
【背景技術】
【０００２】  プール用コースロープフロート３４は図２に示したように、片端には引掛け金具３２を、他端には緊張機能を備えた引掛け金具３３を備えたワイヤーロープを挿通して取付けられ、コースの仕切り表示として使用されるとともに、フロート自体がスムースに回転することで、隣のコースからの波動を軽減する消波の役目を期待されている。【０００３】  しかしながら、コースの仕切り表示を第一義としている関係上、緊張ロープに、許される限り多くのフロートが取付けられているのが実情である。したがって、各々的には消波効果が期待できるフロートも、密接して取付けられているために、互いに干渉し合う事となり、そのため回転が阻害され、期待する消波の効果を奏していない。
この対策として、フロートの回転を促進するためワイヤーロープに樹脂を被覆する方法が採用されているが、期待する効果が得られていない。
【考案の開示】
【考案が解決しようとする課題】
【０００４】  本考案は、コースロープフロートが現在、第一義的に果たしているコースの仕切り表示としての役目を何ら変える事無く、フロートの回転能力を上げ、隣のコースから受ける波動の影響を大きく減少させ、スイマーの成績向上に寄与するプール用コースロープフロートを提供しようとするものである。
【課題を解決するための手段】
【０００５】  上記目的を達成するため本考案は、プールの水中壁間に緊張されるワイヤーロープを挿通して取付けられるプール用コースロープフロートにおいて、
フロートの中央部に貫設された孔２に、片端にストッパー１２を備えるとともに、他方端には止め手段を有する芯管１１を、独立して回転可能に設けたことを特徴とするプール用コースロープフロートで、該フロートを合成樹脂の成型品とし、且つ該品の中央部に貫設された孔２に独立して回転可能に設けられる芯管１１もまた、合成樹脂の成型品であることを特徴としている。
【考案の効果】
【０００６】  本考案は、以上のような構成で課題を解決するための手段とするものであるから、以下の効果を奏する。【０００７】（１）中心部に設けられた孔に独立して回転する芯管を設けたことによって、フロートの回転機能は従来品に比し、回転性が顕著な向上を示し、以って高い消波効果が得られる。
（２）フロートの中心部に設けられた孔に独立して回転するように設けられる芯管は、片端には本体径より大径のリングを備え、他端には円周に溝を設け、この溝に座金を嵌止して、フロートから離脱する止め手段を有しているので、ワイヤーロープに最大限にフロートを取付けたとしても、隣り合ったフロート同士が干渉しあうことが無く、フロートの回転性が阻害されることが無い。
【考案を実施するための最良の形態】
【０００８】  本考案のコースロープフロートの実施に際しては、要素Ａのフロートは一見複雑な形状を呈しているが、合成樹脂の成型品とすれば、さしたる困難も無く製品化することが出来、カラー化することも可能である。従って、数種類の異色フロートを用いることでコース仕切りがより明確に行うことができる。【０００９】  要素Ｂの芯管は、要素Ａと同様に合成樹脂の成型品とし、片端のリング１２は本体１１と一体的なもので、他端の溝１３は後加工であっても差し支えないが成型時に行われることが望ましく、座金１４は例えばステンレス鋼や硬質プラスチックなとのように耐久性並びに耐食性に富む材料が選択されることが最も望ましい形態である。
【実施例】
【００１０】  本考案のプール用コースロープフロートは主要なＡＢ二つの要素から構成され、要素Ａはフロート本体で、水受け部１、回転羽根３と中央部に貫設された芯管挿通用の孔２を有して形成されている。
要素Ｂは上記要素Ａの消波効果を高めるための役目を果たす芯管１１で、少なくとも孔２の全長に渡りワイヤーロープ挿通孔を有し、この孔に嵌合されて使用されるもので、片端には本体径より大径のリング１２を備え、他端には円周に溝１３を設け、この溝に座金１４を嵌止して、フロートから離脱する止め手段としている。
【産業上の利用可能性】
【００１１】  本考案のプール用コースロープフロートは以上説明のような構成を有するもので、従来品には採用されていない、独立して回転自在な芯管の採用によって、第一義的に果たしているコースの仕切り表示としての役目を何ら変える事無く、フロートの回転能力を上げ、隣のコースから受ける波動の影響を大きく減少させるもので、スイマーの成績向上に寄与するプール用コースロープフロートを提供することができ、且つこれと言って製造上困難な要素が見当たらず、製造上の問題も無く産業上の利用も大いに期待される。
【図面の簡単な説明】
【００１２】
【図１】本考案のプール用コースロープフロートを構成する主要な二大要素のＡ並びにＢ要素を説明する図である。
【図２】プール用コースロープフロートをワイヤーロープに取り付け使用されている従来の使用状態を説明する図である。
【符号の説明】
【００１３】Ａ要素      １水受け部          ２孔              ３回転羽根
Ｂ要素      １１芯管          １２リング        １３溝            １４座金
【図１】
0003128122.tif 000003
【図２】
0003128122.tif 000004